(57)【要約】【課題】  ユーザが閲覧しているウェブページに対応する広告を配信する広告配信システムを提供することを目的とする。【解決手段】  ユーザ端末に対してインターネットサービスを提供するサービス提供コンピュータにおけるユーザ端末のウェブサーバへのアクセス状況を監視し，ウェブサーバへのアクセスを検出すると，アクセス先情報とユーザ端末の識別情報とを取得するアクセス先情報監視処理部と，アクセス先情報と広告情報とを対応付けて記憶する広告記憶部と，取得したアクセス先情報に基づいて，対応する広告情報を広告記憶部から特定する広告特定処理部と，取得したユーザ端末の識別情報に基づいて，そのユーザ端末に対して，特定した広告情報を配信し，表示させる広告配信処理部と，を有する広告配信システムである。【選択図】  図１
2015169983.tif 000002
【特許請求の範囲】
【請求項１】
ユーザが利用するユーザ端末に対して広告情報を配信する広告配信システムであって，
前記広告配信システムは，
前記ユーザ端末に対してインターネットサービスを提供するサービス提供コンピュータにおける前記ユーザ端末のウェブサーバへのアクセス状況を監視し，前記ウェブサーバへのアクセスを検出すると，アクセス先情報と前記ユーザ端末の識別情報とを取得するアクセス先情報監視処理部と，
アクセス先情報と広告情報とを対応付けて記憶する広告記憶部と，
前記取得したアクセス先情報に基づいて，対応する広告情報を前記広告記憶部から特定する広告特定処理部と，
前記取得したユーザ端末の識別情報に基づいて，そのユーザ端末に対して，前記特定した広告情報を配信し，表示させる広告配信処理部と，
を有することを特徴とする広告配信システム。
【請求項２】
前記ユーザ端末は，
前記ウェブサーバから取得したウェブページの情報を表示するウェブページ表示処理部と，
前記配信された広告情報を，前記ウェブページに重畳して表示させる広告表示処理部と，
を有することを特徴とする請求項１に記載の広告配信システム。
【請求項３】
前記広告表示処理部は，
前記ウェブページの情報を表示するブラウザのウィンドウとは独立したブラウザのウィンドウに前記広告情報の表示を行う，
ことを特徴とする請求項２に記載の広告配信システム。
【請求項４】
ウェブサーバのウェブページを複数のユーザ端末同士で同期して表示させる際に，同期をしている各ユーザ端末に対して同じ広告情報を配信する広告配信システムであって，
前記広告配信システムは，
各ユーザが利用するユーザ端末間のセッションの確立を実行する同期処理提供コンピュータと，
前記同期処理提供コンピュータにおける前記ユーザ端末のウェブサーバへのアクセス状況を監視し，前記ウェブサーバへのアクセスを検出すると，アクセス先情報と同期をしている各ユーザ端末の識別情報とを取得するアクセス先情報監視処理部と，
アクセス先情報と広告情報とを対応付けて記憶する広告記憶部と，
前記取得したアクセス先情報に基づいて，対応する広告情報を前記広告記憶部から特定する広告特定処理部と，
前記取得した各ユーザ端末の識別情報に基づいて，前記同期をしている各ユーザ端末に対して，前記特定した広告情報を配信し，表示させる広告配信処理部と，
を有することを特徴とする広告配信システム。
【請求項５】
前記ユーザ端末は，
前記同期処理提供コンピュータとの間でセッションの確立をすることで，ほかのユーザ端末との間でウェブページの同期処理を実行する同期処理部と，
前記ウェブページの情報を記憶する一時記憶部と，
前記一時記憶部に記憶したウェブページの情報を表示するウェブページ表示処理部と，
前記配信された広告情報を，前記ウェブページに重畳して表示させる広告表示処理部と，
を有することを特徴とする請求項４に記載の広告配信システム。
【請求項６】
前記同期処理部は，
そのユーザ端末がホスト側のユーザ端末として選択されている場合には，前記一時記憶部に記憶していないウェブページの閲覧要求があると，前記ウェブサーバからその閲覧要求に対応するウェブページの情報を取得して，その一部または全部の情報を一時記憶部に記憶し，
前記一時記憶部にウェブページの一部または全部の情報を記憶すると，コンテンツ更新イベントをリモート側のユーザ端末に対して送信することで，前記リモート側のユーザ端末に前記一時記憶部に記憶させたウェブページの一部または全部の情報を取得させて，前記ホスト側のユーザ端末と前記リモート側のユーザ端末との間のウェブページの情報を同期して表示させる，
ことを特徴とする請求項５に記載の広告配信システム。
【請求項７】
前記同期処理部は，
そのユーザ端末がリモート側のユーザ端末として選択されている場合には，前記リモート側の一時記憶部に記憶していないウェブページの閲覧要求があると，ホスト側のユーザ端末に対して前記ウェブページの閲覧要求を送り，前記ホスト側のユーザ端末において，前記ホスト側のユーザ端末の一時記憶部にそのウェブページの情報を記憶しているかを判定させ，記憶していない場合には，前記ホスト側のユーザ端末に前記ウェブサーバからその閲覧要求に対応するウェブページの情報を取得させて前記ホスト側のユーザ端末の一時記憶部に記憶させることで，コンテンツ更新イベントを受け付け，
前記コンテンツ更新イベントを受け付けると，前記ホスト側のユーザ端末の一時記憶部から前記ウェブページの情報を取得し，前記リモート側の一時記憶部に記憶させる，
ことを特徴とする請求項５または請求項６に記載の広告配信システム。
【請求項８】
前記同期処理部は，
そのユーザ端末がリモート側のユーザ端末として選択されている場合には，前記リモート側の一時記憶部に記憶していないウェブページの閲覧要求があると，ホスト側のユーザ端末に対して前記ウェブページの閲覧要求を送り，前記ホスト側のユーザ端末において，前記ホスト側のユーザ端末の一時記憶部にそのウェブページの一部の情報を記憶しているかを判定させ，記憶していない場合には，前記ホスト側のユーザ端末に前記ウェブサーバからその閲覧要求に対応するウェブページの情報を取得させて前記ホスト側のユーザ端末の一時記憶部に，前記ウェブページの一部の情報を記憶させることで，コンテンツ更新イベントを受け付け，
前記コンテンツ更新イベントを受け付けると，前記ホスト側のユーザ端末の一時記憶部から前記ウェブページの一部の情報を取得し，前記リモート側の一時記憶部に記憶させ，
前記ウェブサーバから前記ウェブページの一部の情報以外の情報を取得し，前記リモート側の一時記憶部に記憶させる，
ことを特徴とする請求項５または請求項６に記載の広告配信システム。
【請求項９】
コンピュータを，
ユーザが利用するユーザ端末に対してインターネットサービスを提供するサービス提供コンピュータにおける前記ユーザ端末のウェブサーバへのアクセス状況を監視し，前記ウェブサーバへのアクセスを検出すると，アクセス先情報と前記ユーザ端末の識別情報とを取得するアクセス先情報監視処理部，
前記取得したアクセス先情報に基づいて，対応する広告情報を，前記アクセス情報と広告情報とを対応付けて記憶する広告記憶部から特定する広告特定処理部，
前記取得したユーザ端末の識別情報に基づいて，そのユーザ端末に対して，前記特定した広告情報を配信し，表示させる広告配信処理部，
として機能させることを特徴とする広告配信プログラム。
【請求項１０】
コンピュータを，
各ユーザが利用するユーザ端末間のセッションの確立を実行する同期処理提供コンピュータにおける前記ユーザ端末のウェブサーバへのアクセス状況を監視し，前記ウェブサーバへのアクセスを検出すると，アクセス先情報と同期をしている各ユーザ端末の識別情報とを取得するアクセス先情報監視処理部，
前記取得したアクセス先情報に基づいて，対応する広告情報を，前記アクセス情報と広告情報とを対応付けて記憶する広告記憶部から特定する広告特定処理部，
前記取得した各ユーザ端末の識別情報に基づいて，前記同期している各ユーザ端末に対して，前記特定した広告情報を配信し，表示させる広告配信処理部，
として機能させることを特徴とする広告配信プログラム。
【発明の詳細な説明】
【技術分野】
【０００１】
本発明は，ユーザが閲覧しているウェブページに対応する広告を配信する広告配信システムに関する。
【背景技術】
【０００２】
ウェブページでは，広告が掲載されることが多い。そのため，ウェブページを閲覧するユーザに対して，最適な広告をどのように配信するかが従来から問題となっている。そのため，下記特許文献１乃至特許文献３に記載のような広告配信システムが存在する。
【０００３】
また，特許文献１乃至特許文献３以外にも，たとえば検索エンジンと連動し，広告を表示させるアドワーズと呼ばれる広告配信システムもある（非特許文献１）。
【先行技術文献】
【特許文献】
【０００４】
【特許文献１】特開２０１２−１１８８６６号公報
【特許文献２】特開２０１０−３９６００号公報
【特許文献３】特開２００９−１９３４９８号公報
【非特許文献】
【０００５】
【非特許文献１】Google Inc.，”Google AdWords−Googleのオンライン広告プログラム”，インターネット，＜ＵＲＬ：http://www.google.co.jp/intl/ja/adwords/how-it-works/ads-on-google.html＞
【発明の概要】
【発明が解決しようとする課題】
【０００６】
特許文献１乃至特許文献３の場合，ブラウザソフトウェア（以下，「ブラウザ」）でウェブページを閲覧していると，そのウェブページの広告欄に，あらかじめ設定された条件で広告が選択され，表示されることとなる。この条件は，たとえばユーザの過去のウェブページの閲覧履歴などから，最適と考えられるものが選択されるように設定されている。
【０００７】
このような方法の場合，ウェブページの広告欄に広告が表示されるので，たとえばユーザがウェブページをスクロールして，表示装置上で広告欄が表示されなくなった場合，広告の表示が行えなくなる。
【０００８】
また，ウェブサイト（ウェブサーバ）と広告配信サーバとが連携しており，ウェブページ上にあらかじめ設定された広告欄に広告が表示されるので，たとえばある自動車メーカーのウェブページに設けられた広告欄には，競合する自動車メーカーの広告が表示されることがない。
【０００９】
さらに，非特許文献１の場合には，検索エンジンの検索結果などに広告が表示されるので，どのウェブページでも対応できるわけではない。
【００１０】
加えて，近年，複数のコンピュータ間で同期をさせながら同じウェブページを閲覧するというシステムが出てきているが，従来の広告配信システムの場合，各ユーザの閲覧履歴などに基づいて配信する広告を設定するので，表示させる広告は同期をさせているコンピュータ間でも異なったものとなる。そこで，異なるコンピュータでウェブページの同期をさせている場合に同じ広告を表示させる仕組みが望まれている。
【課題を解決するための手段】
【００１１】
そこで本発明者は，ウェブサイト（ウェブサーバ）と広告配信サーバとを連携させないでも，広告の配信を行うことができる広告配信システムを発明した。
【００１２】
第１の発明は，ユーザが利用するユーザ端末に対して広告情報を配信する広告配信システムであって，前記広告配信システムは，前記ユーザ端末に対してインターネットサービスを提供するサービス提供コンピュータにおける前記ユーザ端末のウェブサーバへのアクセス状況を監視し，前記ウェブサーバへのアクセスを検出すると，アクセス先情報と前記ユーザ端末の識別情報とを取得するアクセス先情報監視処理部と，アクセス先情報と広告情報とを対応付けて記憶する広告記憶部と，前記取得したアクセス先情報に基づいて，対応する広告情報を前記広告記憶部から特定する広告特定処理部と，前記取得したユーザ端末の識別情報に基づいて，そのユーザ端末に対して，前記特定した広告情報を配信し，表示させる広告配信処理部と，を有する広告配信システムである。
【００１３】
本発明のように構成することで，ウェブサーバと広告配信サーバとが連携させないでも，広告をユーザ端末に対して配信することができる。また，ウェブサーバと広告配信サーバとの連携がないので，ウェブサーバによる広告の条件の制約を受けることがない。そのため，ウェブサーバが表示させるウェブページと異なる条件で広告を配信することが可能となる。たとえば，ある企業のウェブページに，その企業の競合会社の広告を配信することも可能となる。
【００１４】
上述の発明において，前記ユーザ端末は，前記ウェブサーバから取得したウェブページの情報を表示するウェブページ表示処理部と，前記配信された広告情報を，前記ウェブページに重畳して表示させる広告表示処理部と，を有する広告配信システムのように構成することができる。
【００１５】
本発明のように構成することで，広告がウェブページよりも上位に表示される。そのため，広告効果を高めることができる。
【００１６】
上述の発明において，前記広告表示処理部は，前記ウェブページの情報を表示するブラウザのウィンドウとは独立したブラウザのウィンドウに前記広告情報の表示を行う，広告配信システムのように構成することができる。
【００１７】
本発明のように構成することで，配信する広告情報は，ウェブページを表示するブラウザのウィンドウとは独立したブラウザのウィンドウ上で表示が行われる。そのため，ウェブページがスクロールされたとしても，広告はそのまま表示されるので，広告効果を維持することができる。
【００１８】
第２の発明は，ウェブサーバのウェブページを複数のユーザ端末同士で同期して表示させる際に，同期をしている各ユーザ端末に対して同じ広告情報を配信する広告配信システムであって，前記広告配信システムは，各ユーザが利用するユーザ端末間のセッションの確立を実行する同期処理提供コンピュータと，前記同期処理提供コンピュータにおける前記ユーザ端末のウェブサーバへのアクセス状況を監視し，前記ウェブサーバへのアクセスを検出すると，アクセス先情報と同期をしている各ユーザ端末の識別情報とを取得するアクセス先情報監視処理部と，アクセス先情報と広告情報とを対応付けて記憶する広告記憶部と，前記取得したアクセス先情報に基づいて，対応する広告情報を前記広告記憶部から特定する広告特定処理部と，前記取得した各ユーザ端末の識別情報に基づいて，前記同期をしている各ユーザ端末に対して，前記特定した広告情報を配信し，表示させる広告配信処理部と，を有する広告配信システムである。
【００１９】
ユーザが利用するユーザ端末同士で，ウェブページを同期させて表示を行う場合がある。その場合，従来では，表示される広告は異なることが一般的である。そこで本発明のように処理を実行することで，ウェブページを同期させた表示を行いながら，表示させる広告を同じ広告とすることができる。
【００２０】
上述の発明において，前記ユーザ端末は，前記同期処理提供コンピュータとの間でセッションの確立をすることで，ほかのユーザ端末との間でウェブページの同期処理を実行する同期処理部と，前記ウェブページの情報を記憶する一時記憶部と，前記一時記憶部に記憶したウェブページの情報を表示するウェブページ表示処理部と，前記配信された広告情報を，前記ウェブページに重畳して表示させる広告表示処理部と，を有する広告配信システムのように構成することができる。
【００２１】
ユーザ端末の構成としては本発明のように構成することが好ましい。
【００２２】
上述の発明において，前記同期処理部は，そのユーザ端末がホスト側のユーザ端末として選択されている場合には，前記一時記憶部に記憶していないウェブページの閲覧要求があると，前記ウェブサーバからその閲覧要求に対応するウェブページの情報を取得して，その一部または全部の情報を一時記憶部に記憶し，前記一時記憶部にウェブページの一部または全部の情報を記憶すると，コンテンツ更新イベントをリモート側のユーザ端末に対して送信することで，前記リモート側のユーザ端末に前記一時記憶部に記憶させたウェブページの一部または全部の情報を取得させて，前記ホスト側のユーザ端末と前記リモート側のユーザ端末との間のウェブページの情報を同期して表示させる，広告配信システムのように構成することができる。
【００２３】
上述の発明において，前記同期処理部は，そのユーザ端末がリモート側のユーザ端末として選択されている場合には，前記リモート側の一時記憶部に記憶していないウェブページの閲覧要求があると，ホスト側のユーザ端末に対して前記ウェブページの閲覧要求を送り，前記ホスト側のユーザ端末において，前記ホスト側のユーザ端末の一時記憶部にそのウェブページの情報を記憶しているかを判定させ，記憶していない場合には，前記ホスト側のユーザ端末に前記ウェブサーバからその閲覧要求に対応するウェブページの情報を取得させて前記ホスト側のユーザ端末の一時記憶部に記憶させることで，コンテンツ更新イベントを受け付け，前記コンテンツ更新イベントを受け付けると，前記ホスト側のユーザ端末の一時記憶部から前記ウェブページの情報を取得し，前記リモート側の一時記憶部に記憶させる，広告配信システムのように構成することができる。
【００２４】
また，上述の発明において，前記同期処理部は，そのユーザ端末がリモート側のユーザ端末として選択されている場合には，前記リモート側の一時記憶部に記憶していないウェブページの閲覧要求があると，ホスト側のユーザ端末に対して前記ウェブページの閲覧要求を送り，前記ホスト側のユーザ端末において，前記ホスト側のユーザ端末の一時記憶部にそのウェブページの一部の情報を記憶しているかを判定させ，記憶していない場合には，前記ホスト側のユーザ端末に前記ウェブサーバからその閲覧要求に対応するウェブページの情報を取得させて前記ホスト側のユーザ端末の一時記憶部に，前記ウェブページの一部の情報を記憶させることで，コンテンツ更新イベントを受け付け，前記コンテンツ更新イベントを受け付けると，前記ホスト側のユーザ端末の一時記憶部から前記ウェブページの一部の情報を取得し，前記リモート側の一時記憶部に記憶させ，前記ウェブサーバから前記ウェブページの一部の情報以外の情報を取得し，前記リモート側の一時記憶部に記憶させる，広告配信システムのように構成することができる。
【００２５】
同期処理にはさまざまな方法があるが，本発明では，ホスト側のユーザ端末のみがウェブサーバに対してアクセスし，ホスト側のユーザ端末の一時記憶部に記憶させた情報をリモート側のユーザ端末に対して反映させる。
【００２６】
また，ホスト側のユーザ端末とリモート側のユーザ端末との間でアクセスするＵＲＬの情報をやりとりすることで同期処理を実現する場合には，アクセスするタイミングによって必ずしも同一のウェブページを閲覧することができない。しかし，本発明のようにホスト側のユーザ端末がアクセスし，そのウェブページの情報をほかのリモート側のユーザ端末に対して反映させることで，ホスト側のユーザ端末とリモート側のユーザ端末との間で表示の同期を実現することができる。
【００２７】
上述の広告配信システムは，本発明のプログラムをコンピュータで実行することで実現できる。すなわち，コンピュータを，ユーザが利用するユーザ端末に対してインターネットサービスを提供するサービス提供コンピュータにおける前記ユーザ端末のウェブサーバへのアクセス状況を監視し，前記ウェブサーバへのアクセスを検出すると，アクセス先情報と前記ユーザ端末の識別情報とを取得するアクセス先情報監視処理部，前記取得したアクセス先情報に基づいて，対応する広告情報を，前記アクセス情報と広告情報とを対応付けて記憶する広告記憶部から特定する広告特定処理部，前記取得したユーザ端末の識別情報に基づいて，そのユーザ端末に対して，前記特定した広告情報を配信し，表示させる広告配信処理部，として機能させる広告配信プログラムである。
【００２８】
上述の広告配信システムは，本発明のプログラムをコンピュータで実行することで実現できる。すなわち，コンピュータを，各ユーザが利用するユーザ端末間のセッションの確立を実行する同期処理提供コンピュータにおける前記ユーザ端末のウェブサーバへのアクセス状況を監視し，前記ウェブサーバへのアクセスを検出すると，アクセス先情報と同期をしている各ユーザ端末の識別情報とを取得するアクセス先情報監視処理部，前記取得したアクセス先情報に基づいて，対応する広告情報を，前記アクセス情報と広告情報とを対応付けて記憶する広告記憶部から特定する広告特定処理部，前記取得した各ユーザ端末の識別情報に基づいて，前記同期している各ユーザ端末に対して，前記特定した広告情報を配信し，表示させる広告配信処理部，として機能させる広告配信プログラムである。
【発明の効果】
【００２９】
本発明のように構成することで，ウェブサイト（ウェブサーバ）と広告配信サーバとが連動していなくても，広告配信を行うことができる。そのため，ウェブページの広告欄と広告とを一体とする必要がなくなる。したがって，ウェブサイトやウェブページの広告配信条件に制約されずに広告を配信することが可能となる。たとえばある自動車メーカーのウェブページに設けられた広告欄上に，競合する自動車メーカーの広告を表示させることも可能となる。
【００３０】
また，複数のコンピュータ間で同期をさせながら同じウェブページを閲覧するシステムを利用している場合でも，異なるコンピュータ間で同じ広告を表示することも可能となる。
【図面の簡単な説明】
【００３１】
【図１】実施例１の場合の広告配信システムの基本的概念の一例を模式的に示す図である。
【図２】実施例１の場合の広告配信システムのシステム構成の一例を模式的に示す図である。
【図３】コンピュータのハードウェアの一例を模式的に示す図である。
【図４】本発明の処理プロセスの一例を模式的に示すフローチャートである。
【図５】広告記憶部の一例を模式的に示す図である。
【図６】実施例２の場合の広告配信システムの基本的概念の一例を模式的に示す図である。
【図７】実施例２の場合の広告配信システムのシステム構成の一例を模式的に示す図である。
【発明を実施するための形態】
【００３２】
本発明の広告配信システム１の基本的概念の一例を図１に示す。また，広告配信システム１のシステム構成の一例の概念図を図２に示す。
【００３３】
広告配信システム１は，ユーザが利用するコンピュータであるユーザ端末４に対してウェブページを提供するウェブサーバ２と，ユーザ端末４に対して所定のサービスを提供するサービス提供コンピュータ３と，ユーザ端末４と，ユーザ端末４がアクセスするウェブサーバ２やウェブページのアクセスを監視する監視サーバ５と，監視の結果，アクセスしたことを検出すると，アクセス先となる情報（アクセス先情報）に基づいて，対応する広告をユーザ端末４に対して配信する広告配信サーバ６と，を利用する。
【００３４】
本発明の広告配信システム１で用いるコンピュータには，サーバやパーソナルコンピュータ，携帯電話やＰＨＳ，タブレット型コンピュータなどが含まれる。図３に通常のコンピュータのハードウェア構成の一例を示す。広告配信システム１におけるウェブサーバ２，サービス提供コンピュータ３，ユーザ端末４，監視サーバ５，広告配信サーバ６が通常のコンピュータである場合，プログラムの演算処理を実行するＣＰＵなどの演算装置７０と，情報を記憶するＲＡＭやハードディスクなどの記憶装置７１と，ディスプレイなどの表示装置７２と，キーボードやポインティングデバイス（マウスやテンキーなど）などの入力装置７３と，演算装置７０の処理結果や記憶装置７１に記憶する情報をインターネットやＬＡＮなどのネットワークを介して送受信する通信装置７４とを有している。
【００３５】
なお，図１，図２では各種コンピュータが一台の場合を示したが，複数台にその機能が分散配置され，実現されても良い。本発明における各手段は，その機能が論理的に区別されているのみであって，物理上あるいは事実上は同一の領域を為していても良い。
【００３６】
ウェブサーバ２は，ウェブページをユーザ端末４に対して送信し，表示させるサーバである。
【００３７】
サービス提供コンピュータ３は，ユーザ端末４に対して各種のインターネットサービスを提供するために用いるコンピュータである。インターネットサービスとは，ネット会議や複数のコンピュータ間での同期処理を実行するためのサービスのほか，各種情報を提供サービス，会員制サービスなど各種のインターネットサービスがある。またサービス提供コンピュータ３には，ルータなども含まれる。
【００３８】
ユーザ端末４は，サービス処理部４０と一時記憶部４１とウェブページ表示処理部４２と広告表示処理部４３とを有する。
【００３９】
サービス処理部４０は，サービス提供コンピュータ３が提供するインターネットサービスに関する処理を実行する。たとえばインターネットサービスがネット会議のシステムである場合，そのシステムに関するユーザ端末４側での処理を実行する。ユーザ端末４側での処理としては，たとえばサービス提供コンピュータ３やほかのコンピュータとの間のネットワーク接続に関する処理，動画像情報の送受信，音声情報の送受信，ファイルの送受信に関する処理などがある。また複数のコンピュータ間での同期処理を実行するシステムである場合には，ユーザ端末４側での処理としては，たとえばサービス提供コンピュータ３やほかのコンピュータとの間のネットワーク接続に関する処理，ウェブサーバ２からウェブページを取得し，一時記憶部４１に記憶させる処理，一時記憶部４１に記憶させたウェブページの情報を同期相手のコンピュータが取得し，表示させる処理などがある。
【００４０】
なお，サービス処理部４０における処理は，サービス提供コンピュータ３が提供するインターネットサービスに対応した処理を実行すれば良く，上記各処理には限定されない。
【００４１】
一時記憶部４１は，ウェブサーバ２から取得したウェブページの情報や広告配信サーバ６から取得した広告の情報を一時的に記憶する情報記憶部である。たとえばキャッシュが一時記憶部４１の一例に挙げられるが，それに限定されない。
【００４２】
ウェブページ表示処理部４２は，ウェブサーバ２から取得したウェブページの情報を，ユーザ端末４の表示装置７２で表示するブラウザで表示する。
【００４３】
広告表示処理部４３は，広告配信サーバ６から取得した広告情報であって，一時記憶部４１に記憶した広告情報を，ウェブページ上に重畳させて，またはユーザ端末４の表示装置７２における任意の箇所に表示する。
【００４４】
広告表示処理部４３で表示する広告情報は，ウェブページを表示するブラウザのウィンドウとは独立したブラウザのウィンドウで表示させる。またブラウザよりは少なくとも一つ上のレイヤ上に，ブラウザで表示するウェブページに重畳して広告情報を表示させても良い。
【００４５】
なお，本発明の広告配信システム１では，広告情報を表示するブラウザのウィンドウを，ウェブページを表示するブラウザのウィンドウとは独立したブラウザのウィンドウや，本来の広告上に重畳して表示させるので，事前にユーザによる広告情報の表示の承諾の情報を受け付け，それが登録されているユーザに限って，実行するように構成することが好ましい。
【００４６】
監視サーバ５は，サービス提供コンピュータ３における各ユーザ端末４のウェブサーバ２へのアクセス状況を監視し，アクセスしたウェブサーバ２のアクセス先情報を取得する。アクセス先情報としては，たとえばウェブサイトやウェブページのＵＲＬ，企業名，商品，役務名などがあるが，アクセス先を示す情報であれば如何なるものであっても良く，それに限定されない。監視サーバ５は，アクセス先情報監視処理部５０とアクセス先情報提供処理部５１とを有する。
【００４７】
アクセス先情報監視処理部５０は，サービス提供コンピュータ３における各ユーザ端末４のウェブサーバ２へのアクセス状況を監視し，ウェブサーバ２へアクセスしたことを検出すると，アクセスしたウェブサーバ２のアクセス先情報を取得する。
【００４８】
アクセス先情報提供処理部５１は，アクセス先情報監視処理部５０で取得したアクセス先情報と，ユーザ端末４を識別する情報（ユーザ名やユーザＩＤなどのほか，ユーザ端末４へ広告配信サーバ６が広告情報を配信するために用いるＩＰアドレスなど）とを広告配信サーバ６に渡す。
【００４９】
広告配信サーバ６は，監視サーバ５から受け取ったアクセス先情報に基づいて，それに対応する広告情報をユーザ端末４に配信する。広告配信サーバ６は，アクセス先情報受付処理部６０と広告記憶部６１と広告特定処理部６２と広告配信処理部６３とを有する。
【００５０】
アクセス先情報受付処理部６０は，監視サーバ５から送られたアクセス先情報とユーザ端末４を識別する情報とを受け付ける。
【００５１】
広告記憶部６１は，アクセス先情報と広告情報とが対応付けて記憶されている。図５に広告記憶部６１の一例を模式的に示す。
【００５２】
広告特定処理部６２は，アクセス先情報受付処理部６０で受け付けたアクセス先情報に基づいて，対応する広告情報を広告記憶部６１から特定する。
【００５３】
広告配信処理部６３は，広告特定処理部６２で特定した広告情報を広告記憶部６１から抽出し，アクセス先情報受付処理部６０で受け付けたユーザ端末４を識別する情報に基づいて，当該広告情報を，当該ユーザ端末４に配信する。これによって，広告情報を受け付けたユーザ端末４の表示装置７２で，広告の表示処理が行われる。なお，広告情報を所定位置に表示する場合には，表示位置を示す情報，たとえば表示装置７２における座標情報をあわせて配信すると良い。
【実施例１】
【００５４】
つぎに本発明の広告配信システム１の処理プロセスを図４のフローチャートを用いて説明する。
【００５５】
ユーザ端末４のユーザは，所定の操作を行うことでサービスの利用開始処理の操作を行う。その操作をユーザ端末４のサービス処理部４０で受け付けると（Ｓ１００），サービス処理部４０は，サービス提供コンピュータ３に対してサービス処理の提供要求を行う。この要求を受け付けたサービス提供コンピュータ３は，ユーザ端末４に対してサービス処理を実行する。
【００５６】
そしてユーザ端末４がウェブページを閲覧する操作を行った場合，サービス処理部４０がサービス提供コンピュータ３に対してウェブページの閲覧要求を送る。サービス提供コンピュータ３またはユーザ端末４からウェブサーバ２に対して，ウェブページの閲覧要求が送られると（Ｓ１１０），ウェブサーバ２は，その閲覧要求に対応するウェブページの情報をユーザ端末４に対して送信する（Ｓ１２０）。なお，閲覧要求としては，アクセス先となるＵＲＬや企業名，ウェブサイト名，商品名または役務名などの情報が含まれている。
【００５７】
そして，ウェブページの情報をユーザ端末４で取得すると，それを一時記憶部４１に記憶するとともに，ウェブページ表示処理部４２がウェブページの情報をユーザ端末４の表示装置７２で表示する（Ｓ１３０）。
【００５８】
一方，上記の処理と並行して，監視サーバ５のアクセス先情報監視処理部５０は，サービス提供コンピュータ３における各ユーザ端末４からの要求を監視しており，ウェブサーバ２へのアクセスがあったことを検出すると（Ｓ１４０），そのアクセスの情報として，アクセス先情報とアクセスをしたユーザ端末４を識別する情報とを取得する。
【００５９】
たとえばアクセス先情報として「http://www.aaa.co.jp」，アクセスをしたユーザ端末４を識別する情報として「ユーザ端末４１（ＩＰアドレス：１９２．１６８．○○○．○○○）」だったとすると，それらの情報をアクセス先情報監視処理部５０が取得する。そして，アクセス先情報提供処理部５１は，取得した情報を広告配信サーバ６に渡す。
【００６０】
広告配信サーバ６のアクセス先情報受付処理部６０は，監視サーバ５から渡されたアクセス先情報とユーザ端末４を識別する情報とを受け付ける。そして広告特定処理部６２は，アクセス先情報に基づいて，対応する広告を広告記憶部６１から特定する（Ｓ１５０）。広告記憶部６１が図５の場合，アクセス先情報が「http://www.aaa.co.jp」なので，それに対応する配信広告として「Ｘ社」，「Ｙ社」，「Ｚ社」の中からいずれか１つまたは複数の広告を配信する広告として，所定の条件に従って特定する。この際の条件としては順番に選択しても良いし，ランダムに選択しても良いし，あるいは広告料の比率で重み付けをして特定しても良い。その場合，「Ｘ社」，「Ｙ社」，「Ｚ社」の各広告料が，これら３社の中での広告料総額の中でどれだけの比率を占めるかを算出し，その算出に基づいて選択される比率を変更しても良い。
【００６１】
たとえば広告料が「Ｘ社」が「１０万円」，「Ｙ社」が「３万円」，「Ｚ社」が「２万円」であった場合，各社の比率は「Ｘ社」が「２／３」，「Ｙ社」が「１／５」，「Ｚ社」が「２／１５」となる。そこで，各社の広告が選択される比率がこれらの比率に対応していると良い。
【００６２】
ここでは，たとえば「Ｘ社」の広告を広告特定処理部６２が特定したとする。そうすると，広告配信処理部６３は，アクセス先情報受付処理部６０で受け付けたユーザ端末４を識別する情報に基づいて，ユーザ端末４に対して，特定した「Ｘ社」の広告情報を配信する（Ｓ１６０）。上記の例の場合，ＩＰアドレス「１９２．１６８．○○○．○○○」に，「Ｘ社」の広告情報を配信する。そして，広告配信サーバ６から送られた広告情報を一時記憶部４１に記憶すると，ユーザ端末４の広告表示処理部４３は，その広告情報をユーザ端末４の表示装置７２に表示をする（Ｓ１７０）。表示の際には，広告情報として表示位置を示す情報が含まれている場合には，その表示位置に表示を行う。表示位置がない場合には，任意の箇所に表示を行う。
【００６３】
以上のような処理を実行することで，ウェブサーバ２と広告配信サーバ６とが連動をしていなくても広告配信が可能となる。また，ウェブサイトやウェブサーバ２の広告配信条件に制約されずに広告を配信することが可能となるので，たとえばＡ社のウェブページ上に，Ｘ社の広告を表示させることもできる。
【実施例２】
【００６４】
つぎに複数のユーザ端末４同士が同期をして同じウェブページを表示させる場合に，そのユーザ端末４に同じ広告を配信する場合を説明する。実施例２の場合の広告配信システム１の基本的概念の一例を図６に示す。また，広告配信システム１のシステム構成の一例の概念図を図７に示す。
【００６５】
実施例２における広告配信システム１では，実施例１のサービス提供コンピュータ３，サービス処理部４０の一例として，同期処理提供コンピュータ３’，同期処理部４０’を備える。
【００６６】
同期処理提供コンピュータ３’は，各ユーザ端末４の同期処理部４０’からの接続要求を受け，各ユーザ端末４がログインした後に，それらユーザ端末４の間のセッションを確立するコンピュータである。また，同期処理部４０’は，セッションが確立されたユーザ端末４の間で，同期処理を実行する。同期処理提供コンピュータ３’，同期処理部４０’における処理は，以下のように実現される。なお，同期処理を実行するコンピュータとしてユーザ端末４Ａ，ユーザ端末４Ｂの場合を説明する。また，以下では，２台のコンピュータ（１台が後述するホスト側，もう一台がリモート側）での同期処理を行う場合を説明するが，リモート側のユーザ端末４が複数台あってもよい。
【００６７】
同期処理を実行するユーザ端末４には，ホスト側のユーザ端末４とリモート側のユーザ端末４がある。ホスト側のユーザ端末４はウェブサーバ２にアクセスしてウェブページの情報を取得するとともに，その情報を一時記憶部４１に記憶させる。そしてウェブページの情報をホスト側のユーザ端末４で表示させる。またリモート側のユーザ端末４に対して，表示しているウェブページの情報が更新され，一時記憶部４１に記憶されたことを示すコンテンツ更新イベントを通知する。リモート側のユーザ端末４では，コンテンツ更新イベントを受け取ると，ホスト側のユーザ端末４の一時記憶部４１に記憶したウェブページの情報を取得し，リモート側のユーザ端末４の一時記憶部４１に記憶させるとともに，送られたウェブページの情報を表示する。
【００６８】
なお，ホスト側のユーザ端末４の一時記憶部４１には，ウェブページの情報として，ＨＴＭＬのスケルトン情報のみを記憶し，画像情報やテキスト情報などは，リモート側のユーザ端末４もホスト側のユーザ端末４と同様に，同じウェブサーバ２にアクセスして取得するようにしても良い。すべてのウェブページの情報をホスト側のユーザ端末４からリモート側のユーザ端末４に送信すると，ホスト側のユーザ端末４から一旦，アップロードし，その後，リモート側のユーザ端末４にダウンロードする構成となるので，特にアップロードの際に通信時間を要し，処理時間が遅くなる，というデメリットを解消することができる。なお，ＨＴＭＬのスケルトン情報とは，ウェブページにおける画像情報，テキスト情報，音声情報などのコンテンツ情報を除いた，ウェブページのフォーマット情報をいう。
【００６９】
ユーザ端末４Ａおよびユーザ端末４Ｂの各ユーザは，所定のログイン画面（図示せず）から，ログインする同期処理提供コンピュータ３’を指定し，さらにユーザ名とパスワードなどの認証情報を入力することによって，同期処理提供コンピュータ３’にログインする。
【００７０】
なお，ネットワーク上にアドレスが異なる同期処理提供コンピュータ３’が複数設けられている場合には，任意の同期処理提供コンピュータ３’へのログインを可能としても良い。
【００７１】
ログイン後，各ユーザは，同期を行う対象となる相手の端末を探し，選択する。この際に，同期を依頼する側がホスト側となり，依頼された側がリモート側として自動的に指定される。なお，ホスト側になるか，リモート側になるのかの選択を受け付けても良い。そして，ユーザ端末４Ａまたはユーザ端末４Ｂは，セッションを確立し，同期処理を実行する相手先のコンピュータを選択し，ユーザ端末４Ａおよびユーザ端末４Ｂとの間のセッションの確立を行う。たとえばユーザ端末４Ａをホスト側，ユーザ端末４Ｂをリモート側としてセッション確立がなされたとする。
【００７２】
このようにセッションの確立が行われることで，ユーザ端末４Ａとユーザ端末４Ｂとの間で同期処理が実行できる。
【００７３】
ホスト側となるユーザ端末４Ａでウェブページの閲覧要求を行う場合，ユーザ端末４Ａはウェブサーバ２にアクセスしてウェブページの情報を取得するとともに，その情報の一部（ＨＴＭＬのスケルトン情報）または全部を一時記憶部４１に記憶させる。そしてウェブページの情報をユーザ端末４Ａで表示させる。またリモート側となるユーザ端末４Ｂに対して，ウェブページの情報が一時記憶部４１に記憶されたことを示すコンテンツ更新イベントを通知する。ユーザ端末４Ｂでは，コンテンツ更新イベントを受け取ると，ユーザ端末４Ａの一時記憶部４１に記憶したウェブページの一部（ＨＴＭＬのスケルトン情報）または全部の情報を取得し，ユーザ端末４Ｂの一時記憶部４１に記憶させるとともに，送られたウェブページの情報を表示する。この際に，ユーザ端末４Ｂでウェブページの全部の情報を取得している場合には，ユーザ端末４Ａから取得したウェブページの情報を表示する。一方，ユーザ端末４Ｂでウェブページの一部の情報，たとえばＨＴＭＬのスケルトン情報を取得している場合には，当該ウェブページのウェブサーバ２にアクセスし，そのウェブページの画像情報やテキスト情報を取得し，ユーザ端末４Ｂの一時記憶部４１に記憶させる。そしてこれらの情報に基づいて，ユーザ端末４Ｂでウェブページの情報を表示する。
【００７４】
一方，ユーザ端末４Ｂでウェブページの閲覧要求を行う場合，ユーザ端末４Ｂにおいてウェブページの閲覧要求を受け付けると，ユーザ端末４Ｂの一時記憶部４１にそのウェブページの情報が記憶されているかを判定する。もし記憶されていない場合には，そのウェブページの閲覧要求をユーザ端末４Ａに対して送信する。閲覧要求を受け付けたユーザ端末４Ａでは，ユーザ端末４Ａの一時記憶部４１にそのウェブページが記憶されているかを判定し，記憶していない場合には，同期処理提供コンピュータ３’を介してウェブサーバ２から当該ウェブページの情報を取得して，その一部（ＨＴＭＬのスケルトン情報）または全部を一時記憶部４１に記憶させるとともに，ユーザ端末４Ａの表示装置７２で表示をさせる。これによって，コンテンツ更新イベントをユーザ端末４Ｂに対して通知する。コンテンツ更新イベントを受信したユーザ端末４Ｂは，ユーザ端末４Ａの一時記憶部４１に記憶されたウェブページの一部（ＨＴＭＬのスケルトン情報）または全部の情報を取得して，ユーザ端末４Ｂの一時記憶部４１に記憶させるとともに，それをユーザ端末４Ｂで表示させる。この際に，ユーザ端末４Ｂでウェブページの全部の情報を取得している場合には，ユーザ端末４Ａから取得したウェブページの情報を表示する。一方，ユーザ端末４Ｂでウェブページの一部の情報，たとえばＨＴＭＬのスケルトン情報を取得している場合には，当該ウェブページのウェブサーバ２にアクセスし，そのウェブページの画像情報やテキスト情報を取得し，ユーザ端末４Ｂの一時記憶部４１に記憶させる。そしてこれらの情報に基づいて，ユーザ端末４Ｂでウェブページの情報を表示する。
【００７５】
以上のような同期処理を実行することで，ホスト側となるユーザ端末４がウェブサーバ２からウェブページの情報を取得し，それをリモート側となるユーザ端末４に対して反映させ，ウェブページの表示の同期を実現することができる。
【００７６】
監視サーバ５のアクセス先情報監視処理部５０は，同期処理提供コンピュータ３’を監視し，ユーザ端末４Ａがアクセスしたウェブサーバ２のアクセス先情報と，ユーザ端末４の識別情報とを取得する。この際には，ユーザ端末４Ａの識別情報のみならず，ユーザ端末４Ｂの識別情報も取得する。ユーザ端末４Ａおよびユーザ端末４Ｂの識別情報は，同期処理提供コンピュータ３’でそれらの端末のセッションを確立しているので，それに基づいて情報を取得すればよい。
【００７７】
このようにして，アクセス先情報とユーザ端末４Ａおよびユーザ端末４Ｂの識別情報とを取得したアクセス先情報提供処理部５１は，それを広告配信サーバ６に渡す。広告配信サーバ６のアクセス先情報受付処理部６０でそれらの情報を受け付けると，広告特定処理部６２が，アクセス先情報に対応する広告情報を広告記憶部６１に基づいて特定する。そして，広告配信処理部６３が，アクセス先情報受付処理部６０で受け付けたユーザ端末４Ａ，ユーザ端末４Ｂの識別情報に基づいて，広告情報をそれぞれ配信する。
【００７８】
ユーザ端末４Ａの広告表示処理部４３，ユーザ端末４Ｂの広告表示処理部４３は，それぞれ広告配信サーバ６から配信された広告情報を受け付け，それをユーザ端末４Ａ，ユーザ端末４Ｂの表示装置７２でそれぞれ表示する。
【００７９】
以上のような処理を実行することで，同期処理を実行するコンピュータ間でも，同一の広告情報を表示させることが可能となる。
【産業上の利用可能性】
【００８０】
本発明の広告配信システム１のように構成することで，ウェブサイト（ウェブサーバ２）と広告配信サーバ６とが連動していなくても，広告配信を行うことができる。そのため，ウェブページの広告欄と広告とを一体とする必要がなくなる。したがって，ウェブサイトやウェブページの広告配信条件に制約されずに広告を配信することが可能となる。たとえばある自動車メーカーのウェブページに設けられた広告欄上に，競合する自動車メーカーの広告を表示させることも可能となる。
【００８１】
また，複数のコンピュータ間で同期をさせながら同じウェブページを閲覧するシステムを利用している場合でも，異なるコンピュータ間で同じ広告を表示することも可能となる。
【符号の説明】
【００８２】
１：広告配信システム
２：ウェブサーバ
３：サービス提供コンピュータ
３’：同期処理提供コンピュータ
４：ユーザ端末
５：監視サーバ
６：広告配信サーバ
４０：サービス処理部
４０’：同期処理部
４１：一時記憶部
４２：ウェブページ表示処理部
４３：広告表示処理部
５０：アクセス先情報監視処理部
５１：アクセス先情報提供処理部
６０：アクセス先情報受付処理部
６１：広告記憶部
６２：広告特定処理部
６３：広告配信処理部
７０：演算装置
７１：記憶装置
７２：表示装置
７３：入力装置
７４：通信装置
【図１】
2015169983.tif 000003
【図２】
2015169983.tif 000004
【図３】
2015169983.tif 000005
【図４】
2015169983.tif 000006
【図５】
2015169983.tif 000007
【図６】
2015169983.tif 000008
【図７】
2015169983.tif 000009